(57)【要約】  【課題】通気性が高い上、ユーザが睡眠ボックスから頭部を容易に出したり入れたりすることができる睡眠遮光ボックスを提供する。  【解決手段】睡眠遮光ボックスは、本体２及び上カバーを備える。本体２は、底板２１及び２つの側板２２を含む。側板２２のそれぞれは、底板２１の両側に立設されて収納空間２７が画成されている。上カバーは、頂板３１及び蓋板３２を含む。蓋板３２と頂板３１とを重ねて本体２上にそれぞれ配置されて収納空間２７に光線が入射することを防ぎ、蓋板３２と頂板３１との間に空気を流通させる流路が形成される。蓋板３２は、第１の蓋板３２１、第２の蓋板３２２及び遮光用布片３２４を有する。【選択図】図２
2013230346.tif 000002
【特許請求の範囲】
【請求項１】
本体及び上カバーを備えた睡眠遮光ボックスであって、
前記本体は、底板及び２つの側板を有し、前記側板のそれぞれは、前記底板の両側に立設されて収納空間が画成され、
前記上カバーは、頂板及び蓋板を有し、前記蓋板と前記頂板とを重ねて前記本体上にそれぞれ配置されて前記収納空間に光線が入射することを防ぎ、前記蓋板と前記頂板との間に空気を流通させる流路が形成され、
前記蓋板は、前記頂板に対して揺動可能であるとともに第１の接続部を有する第１の蓋板と、前記第１の蓋板が揺動可能に接続されるとともに第２の接続部を有する第２の蓋板と、前記第１の接続部と前記第２の接続部との間に配置されるとともに前記第１の接続部及び前記第２の接続部のうちの少なくとも１つに着脱自在に固定され、遮光位置を変えて遮光効果を調整する遮光用布片と、を有することを特徴とする睡眠遮光ボックス。
【請求項２】
前記頂板と前記第１の蓋板との段差により流路が形成されることを特徴とする請求項１に記載の睡眠遮光ボックス。
【請求項３】
前記蓋板を前記頂板に対して摺動させて前記蓋板と前記頂板との積層状態を変えることを特徴とする請求項１に記載の睡眠遮光ボックス。
【請求項４】
前記蓋板を伸縮させて長さを変え、前記蓋板と前記頂板との積層状態を変えることを特徴とする請求項１に記載の睡眠遮光ボックス。
【請求項５】
前記蓋板と前記頂板とは、垂直方向で一部が重ねられることを特徴とする請求項１乃至４の何れかに記載の睡眠遮光ボックス。
【請求項６】
前記本体は、前記側板のそれぞれに着脱自在に接続されるとともに前記側板と前記底板とを固定する固定部材を有することを特徴とする請求項５に記載の睡眠遮光ボックス。
【請求項７】
前記頂板の両側には、固定片がそれぞれ配置され、
前記固定片は、前記側板に着脱自在に接続され、
前記頂板は、前記側板に固定されることを特徴とする請求項６に記載の睡眠遮光ボックス。
【請求項８】
前記頂板及び前記蓋板は、遮光性及び通気性を備えた材料からなることを特徴とする請求項７に記載の睡眠遮光ボックス。
【発明の詳細な説明】
【技術分野】
【０００１】
本発明は、睡眠遮光ボックスに関し、特に、外部の光線を遮り、ユーザの睡眠の質を高める睡眠遮光ボックスに関する。
【背景技術】
【０００２】
現代人の生活は忙しく、睡眠時間を十分にとることができないため、睡眠の質を高めることが求められており、短い睡眠時間でも十分休めるように、睡眠を手助けする製品が数多く市販されている。
【０００３】
アイマスクにより眼を覆うと、睡眠の際、外部の光線により悪影響を受けることを防ぐことができるが、アイマスクを使用した場合、頭部が締め付けられてユーザが圧迫感を感じて入眠が妨げられることがあり、アイマスクの使用はユーザ全員に適するものではなかった。
【０００４】
特許文献１の睡眠用ボックスは、ユーザが遮光部を移動させて光線を遮ることができるが、その構造は複雑なため、メンテナンス及び収納が容易でなく改善が求められていた。
【０００５】
さらに特許文献２及び特許文献３で開示されている睡眠用ボックスは、囲まれて形成された収容空間にユーザの頭部を置くと、外部の光線及び音声を遮ることができるが、遮蔽の程度が高くなりすぎると内部の通気性が低下し、酸素不足となって睡眠の質が低下する虞があった。また、ユーザが睡眠用ボックスから出たり入ったりする際、上方に設置された遮蔽板に頭をぶつけることがないように、体を屈めて横向きで移動しなければ頭部を出し入れすることができず、時間及び労力が余計にかかるため、ユーザは寝る際、気軽に使用することができなかった。
【先行技術文献】
【特許文献】
【０００６】
【特許文献１】中国実用新案登録第２７９０４９０号公報
【特許文献２】台湾特許出願公開第２００９４４１６５号公報
【特許文献３】台湾実用新案登録第３３４６８３号公報
【発明の概要】
【発明が解決しようとする課題】
【０００７】
本発明は、通気性が高い上、ユーザが睡眠ボックスから容易に出たり入ったりすることができる睡眠遮光ボックスを提供することを課題とする。
【課題を解決するための手段】
【０００８】
上記課題を解決するために、本発明の第１の形態によれば、本体及び上カバーを備えた睡眠遮光ボックスであって、前記本体は、底板及び２つの側板を有し、前記側板のそれぞれは、前記底板の両側に立設されて収納空間が画成され、前記上カバーは、頂板及び蓋板を有し、前記蓋板と前記頂板とを重ねて前記本体上にそれぞれ配置されて前記収納空間に光線が入射することを防ぎ、前記蓋板と前記頂板との間に空気を流通させる流路が形成され、前記蓋板は、前記頂板に対して揺動可能であるとともに第１の接続部を有する第１の蓋板と、前記第１の蓋板が揺動可能に接続されるとともに第２の接続部を有する第２の蓋板と、前記第１の接続部と前記第２の接続部との間に配置されるとともに前記第１の接続部及び前記第２の接続部のうちの少なくとも１つに着脱自在に固定され、遮光位置を変えて遮光効果を調整する遮光用布片と、を有することを特徴とする睡眠遮光ボックスが提供される。
【０００９】
前記頂板と前記第１の蓋板との段差により流路が形成されることが好ましい。
【００１０】
前記蓋板を前記頂板に対して摺動させて前記蓋板と前記頂板との積層状態を変えることが好ましい。
【００１１】
前記蓋板を伸縮させて長さを変え、前記蓋板と前記頂板との積層状態を変えることが好ましい。
【００１２】
前記蓋板と前記頂板とは、垂直方向で一部が重ねられることが好ましい。
【００１３】
前記本体は、前記側板のそれぞれに着脱自在に接続されるとともに前記側板と前記底板とを固定する固定部材を有することが好ましい。
【００１４】
前記頂板の両側には、固定片がそれぞれ配置され、前記固定片は、前記側板に着脱自在に接続され、前記頂板は、前記側板に固定されることが好ましい。
【００１５】
前記頂板及び前記蓋板は、遮光性及び通気性を備えた材料からなることが好ましい。
【発明の効果】
【００１６】
本発明の睡眠遮光ボックスは、流路により内部の空気と外部の空気との対流を増やして収納空間の通気性を高め、蓋板を頂板に重ねることにより、本体の遮蔽効果を変えて本体上に空間を形成し、ユーザは座位の姿勢又はうつ伏せの姿勢で本体から出たり入ったりすることができるため利便性が高い。
【図面の簡単な説明】
【００１７】
【図１】図１は、本発明の一実施形態に係る睡眠遮光ボックスを示す斜視図である。
【図２】図２は、本発明の一実施形態に係る睡眠遮光ボックスを示す分解斜視図である。
【図３】図３は、本発明の一実施形態に係る睡眠遮光ボックスの蓋板を示す使用図である。
【図４】図４は、本発明の一実施形態に係る睡眠遮光ボックスの蓋板を示す使用図である。
【図５】図５は、本発明の一実施形態に係る睡眠遮光ボックスを示す分解斜視図である。
【図６】図６は、本発明の一実施形態に係る睡眠遮光ボックスを示す使用図である。
【図７】図７は、本発明の一実施形態に係る睡眠遮光ボックスの本体を収納するときの状態を示す斜視図である。
【発明を実施するための形態】
【００１８】
以下、本発明の睡眠遮光ボックスの蓋板の実施形態について、図面を参照しながら説明する。
【００１９】
図１及び図２を参照する。図１及び図２に示すように、本発明の一実施形態に係る睡眠遮光ボックスは、少なくとも本体２及び上カバー３から構成される。
【００２０】
本体２は、底板２１及び２つの側板２２を含む。各側板２２は、底板２１の左右両端から上へ延ばされ、底板２１と各側板２２とにより収納空間２７が画成され、本体２は上向きのコ字状の断面を有する。本体２は、長方形のポリプロピレン（ＰＰ）のコルゲートシートを所定寸法に切断して厚さを約６ｍｍにして重量と構造強度とのバランスをとり、コルゲートシートを熱圧成形して形成することが好ましい。各側板２２を底板２１に対して揺動させて側板２２と底板２１とを折り畳んだり展開したりし、ユーザが側板２２と底板２１とを折り畳んで重ねて（各側板２２を外方へ開いて底板２１と重ねる）収納することができる（図７参照）。開いた状態のとき、底板２１と各側板２２との接続箇所には、Ｖ字状溝（夾角は約９０°）が形成されているため、各側板２２を内方へ折り曲げることが可能な角度は最大で９０°であり、ユーザが組み立てる際、各側板２２を内方へ最大限折り曲げたときに本体２の断面が上向きのコ字状となるため、各側板２２が内方へ曲がって凹むことを防ぐことができる。各側板２２を互いに位置決めさせるために、本実施形態の本体２は、固定部材２３をさらに含む。固定部材２３及び各側板２２には、互いに対応した面ファスナが設けられ、固定部材２３が各側板２２と着脱自在に接続され、各側板２２及び底板２１を固定させる。固定部材２３と各側板２２とを接続すると、本体２の断面が上向きのコ字状となる。好適には、固定部材２３を各側板２２の頂部に係合させて各側板２２の外側に固定する。各側板２２を固定部材２３により固定すると、各側板２２を外方へ直接開くことができなくなり、ユーザが固定部材２３を外すと各側板２２を外方へ開いて収納することができる。
【００２１】
図３〜図５を参照する。図３〜図５に示すように、上カバー３は、頂板３１及び蓋板３２を含む。頂板３１及び蓋板３２は、本体２の真上に設置される。各側板２２の頂部の前後両辺に、蓋板３２及び頂板３１をそれぞれ設けると、上方から収納空間２７に光線が入射することを防ぐことができる。頂板３１及び蓋板３２は、遮光性及び通気性を備えた材料からなることが好ましい。頂板３１の左右両辺には、固定片３１１がそれぞれ設けられている。各固定片３１１は、面ファスナ３１４を有する。各側板２２の隣接した頂部の内外面には、互いに対応した面ファスナ２４が形成され、面ファスナ２４を互いに係合させ、各固定片３１１と各側板２２とを着脱自在に接続するとともに、頂板３１を各側板２２に固定する。蓋板３２は、頂板３１に重ねられ、蓋板３２を調整して本体２上を遮るようにし、ユーザが都合良く身を起こしたりうつ伏せになったりすることができるようにする。本実施形態の蓋板３２は、第１の蓋板３２１及び第２の蓋板３２２をさらに含む。第２の蓋板３２２と第１の蓋板３２１とを接続して第１の蓋板３２１に対して揺動させ、第１の蓋板３２１と固定部材２３とが着脱自在に接続され（面ファスナにより係合される）、第１の蓋板３２１を頂板３１に対して揺動させる。そのため、まず、第２の蓋板３２２を第１の蓋板３２１に重ねた後、頂板３１へ重ねる（図３及び図４参照）。蓋板３２と頂板３１との間には、収納空間２７に外部の空気を流通させるために用いる流路５が形成されている。
【００２２】
また、本実施形態において、頂板３１の高さは各側板２２より低く、第１の蓋板３２１の高さは、頂板３１より高い。頂板３１と第１の蓋板３２１とにより形成した段差により流路５を形成し、段差により形成された流路５により垂直方向で入る光線を減少させることができる。頂板３１に隣接した蓋板３２の一端には、揺動可能な遮蔽板３１３が形成されている。遮蔽板３１３は、頂板３１から蓋板３２に向かって延びる。第１の蓋板３２１と頂板３１の遮蔽板３１３とは、垂直方向で一部が重ねられ、図６に示すように、上方から収納空間２７へ光線が直接入射することを防ぐ。頂板３１と第１の蓋板３２１との高さを相違させて両者の隣接した一端に段差を形成し、頂板３１と第１の蓋板３２１との最高点を同じ高さにし、頂板３１の遮蔽板３１３の他端にもう一つの遮蔽板３１２を設けて本体２の背面が遮蔽効果を得て、遮蔽板３１２に形成された複数の通気孔により通気性を高めてもよい。
【００２３】
使用する際の利便性を高めるために、本実施形態の蓋板は、遮光用布片３２４をさらに含んでもよい。第１の蓋板３２１には、第１の接続部３２５が設けられる一方、第２の蓋板３２２には、第２の接続部３２３が設けられる（本実施形態では、第１の接続部及び第２の接続部が面ファスナである）。遮光用布片３２４の所定の箇所には、第１の接続部３２５と第２の接続部３２３とを対応させる面ファスナが設けられ、遮光用布片３２４を第１の接続部３２５及び第２の接続部３２３へ着脱自在に固定させるとともに（図１参照）、遮光用布片３２４により第１の接続部３２５及び第２の接続部３２３のうちの少なくとも１つへ選択的に固定する。この構成により、ユーザは必要に応じて遮光用布片３２４を第１の接続部３２５及び第２の接続部３２３へ固定する相対位置を変えて遮光用布片３２４の遮蔽効果を調整し、面ファスナにより着脱したり交換したりすることを容易に行うことができる。例えば、第１の接続部３２５及び第２の接続部３２３から遮光用布片３２４を直接外して他の遮光布へ交換して利便性を高めてもよい。遮光用布片３２４は、日除けカーテンでもよいし、複数の網孔が設けられた布片などでもよい。遮光用布片３２４の表面には、見た目を良くするために模様が設けられてもよい。その上、側辺の遮蔽効果を高めるために、ユーザは、蓋板３２の遮光用布片３２４より大きな幅を選択し、図１に示すように、遮光用布片３２４の側辺から垂れた側布片３２７により、側辺の遮蔽性を高めてもよい。
【００２４】
図６を参照する。図６に示すように、本実施形態に係る睡眠遮光ボックスを実際に使用する際、ユーザが普段使用している枕６１を底板２１の表面へ載置して蓋板３２を開き、ユーザが上半身を横たえて枕６１に頭部を乗せた後、蓋板を閉めて遮蔽状態にする。また、本体２の背面を後方のベッドフレーム又は壁へ当接させることにより、全体の遮蔽効果を高めてもよい。また使用過程において、蓋板３２と頂板３１との間に形成された流路５により、収納空間２７内の通気性を高めて睡眠の質を高めてもよい。ユーザが上半身を起こして座位の姿勢をとる場合、まず、手で蓋板３２を開き、本体２上が蓋板３２により覆われなくなると、ユーザは座位の姿勢で本体２の収納空間２７から出ることができる。
【００２５】
蓋板と頂板とを重ねる方式は、上述の揺動方式以外に、その他の方式を採用してもよい。例えば、本発明の第２実施形態では、蓋板を頂板に対して摺動させて蓋板と頂板との積層状態を変え、その摺動構造は、直接、本体又は蓋板に設けた摺動軌道により蓋板を摺動させ、ユーザは、蓋板を摺動させて蓋板と頂板との積層状態を変えることにより、光線の照射方向を微調整したりしてもよいし、或いは、本発明の第３実施形態では、蓋板を伸縮し、その蓋板が２つのフレーム及びカーテンを含んでもよい。各フレームは、各側板に枢着され、ユーザは各フレームを回転させてカーテンを開いたり閉じたりすることができるとともに、蓋板を伸縮させて本体の長さを変えて蓋板と頂板との積層状態を変えてもよい。
【００２６】
上述したことから分かるように、本発明の睡眠遮光ボックスは、以下（１）〜（５）の長所を有する。
（１）頂板と蓋板との間に形成された流路により、内部空気と外部空気との対流を高め、内部に熱が籠ることを防いで全体の通気性を高めることができる。
（２）使用する際、完全な遮蔽状態にする以外に、第２の蓋板と第１の蓋板とを一部だけ重ねて半遮蔽状態にしたり、第１の蓋板及び第２の蓋板を頂板と完全に重ねてフルオープン状態（即ち、全開状態）にしたりすることができるため、少なくとも３種類の使用状態から選択することができる。
（３）ユーザは、状況に応じて異なる材料からなる遮光用布片を選択して蓋板に固定することができる。例えば、気温が低いときは、保温性が高くて断熱性に優れた遮光用布片を選択し、気温が高いときは、通気性のある遮光用布片を組み合わせて様々な季節、気候に適応することができる。
（４）蓋板を頂板に重ねて本体上の空間を一時的に作り出し、ユーザが仰向け又はうつ伏せの状態で空間から直接出入りすることができるため、横向きで移動しなければ出入りすることができなかった従来技術と異なり、本発明は使用する際の利便性が高い。
（５）各部材は、面ファスナにより接合して接続することができるため、容易に着脱を行うことができる。
【００２７】
そのため、本発明の睡眠遮光ボックスは、全体の通気性を高め、蓋板と底板とを積層させることによりユーザが容易に出たり入ったりすることができる上、構造が簡素なため着脱を容易に行ったり収納を容易に行ったりすることができる特性を備えるため、消費者の使用意欲を高め、市場における競争力が高い。
【００２８】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２９】
２  本体
３  上カバー
５  流路
２１  底板
２２  側板
２３  固定部材
２４  面ファスナ
２７  収納空間
３１  頂板
３２  蓋板
６１  枕
３１１  固定片
３１２  遮蔽板
３１３  遮蔽板
３１４  面ファスナ
３２１  第１の蓋板
３２２  第２の蓋板
３２３  第２の接続部
３２４  遮光用布片
３２５  第１の接続部
３２７  側布片
【図１】
2013230346.tif 000003
【図２】
2013230346.tif 000004
【図３】
2013230346.tif 000005
【図４】
2013230346.tif 000006
【図５】
2013230346.tif 000007
【図６】
2013230346.tif 000008
【図７】
2013230346.tif 000009